【手続補正書】
【提出日】平成25年9月26日(2013.9.26)
【手続補正１】
【補正対象書類名】特許請求の範囲
【補正対象項目名】全文
【補正方法】変更
【補正の内容】
【特許請求の範囲】
【請求項１】
複数色に対応する多次元の色空間において、仮の色材使用制限値を設定する色材使用制限値設定工程と、
予め定められた色材の組み合わせにおける色材使用値の合計値が、前記設定された使用制限値以下の領域について、前記定められた色材使用値の組み合わせに基づく複数のパッチを含むパッチ群を作成するパッチ群作成工程と、
前記作成されたパッチ群を媒体へ出力するパッチ群出力工程と、
前記パッチ群を測色する測色工程と、
前記測色された各パッチの測色値に基づき、前記色材使用制限値を超える領域の仮想的なパッチの測色値を補外演算により推定する測色値推定工程と、
前記測色工程及び前記測色値推定工程により得られた測色値に基づいて、前記色空間における色材使用値の組み合わせに対する色を補間演算により予測する色予測工程と、
を含む色予測方法。
【請求項２】
前記パッチ群作成工程は、前記色材使用制限値以下であり、前記色材使用制限値の測色値又は前記色材使用制限値の近傍の測色値を有し、前記測色値推定工程における補外演算に用いられる学習データとして使用される混色の補外演算用パッチ群を作成する補外演算用パッチ群作成工程を含む請求項１に記載の色予測方法。
【請求項３】
前記測色値推定工程は、前記色空間における前記色材使用制限値を超える領域の基底格子の測色値を、前記補外演算用パッチ群の測色値を用いて補外演算により予測する基底格子予測工程を含む請求項２に記載の色予測方法。
【請求項４】
前記測色値推定工程は、予め区画された領域ごとに前記補外演算が実行される請求項２又は３に記載の色予測方法。
【請求項５】
前記測色値推定工程は、前記補外演算用パッチ群に対応する学習データが存在しない領域における補外演算を実行する際に、前記学習データが存在する他の領域が含まれるように、前記学習データが存在しない領域を拡大させる領域拡大工程を含む請求項２から４のいずれか１項に記載の色予測方法。
【請求項６】
前記パッチ群作成工程は、単色の色材における色材使用量を変化させたときの測色値の変化の非線形性を補正するための単色パッチ群を生成する非線形性補正用パッチ群作成工程を含む請求項１から５のいずれか１項に記載の色予測方法。
【請求項７】
前記パッチ群作成工程は、前記色予測工程における補間演算に用いられる基底格子を決めるための混色パッチを生成する補間演算用基底パッチ群作成工程を含む請求項１から６のいずれか１項に記載の色予測方法。
【請求項８】
前記複数色は、少なくとも、イエロー、マゼンタ、シアン、及びブラックを含む請求項１から７のいずれか１項に記載の色予測方法。
【請求項９】
前記色材は、インクジェット方式の画像形成に用いられるカラーインク、又は電子写真方式の画像形成に用いられるトナーに含まれるに着色剤である請求項１から８のいずれか１項に記載の色予測方法。
【請求項１０】
複数色に対応する多次元の色空間における仮の色材使用制限値を設定する色材使用制限値設定工程と、
予め定められた色材の組み合わせにおける色材使用値の合計値が、前記設定された使用制限値以下の領域について、前記定められた色材使用値の組み合わせに基づく複数のパッチを含むパッチ群を作成するパッチ群作成工程と、
前記作成されたパッチ群を媒体へ出力するパッチ群出力工程と、
前記パッチ群を測色する測色工程と、
前記測色された各パッチの測色値に基づき、前記色材使用制限値を超える領域の仮想的なパッチの測色値を補外演算により推定する測色値推定工程と、
前記測色工程及び前記測色値推定工程により得られた測色値に基づいて、前記色空間における色材使用値の組み合わせに対する色を補間演算により予測して、前記色空間における色材使用値の組み合わせに対する色の変換関係を求める色予測工程と、
前記色空間における、前記定められた複数色の色材使用値の組合せと、前記予測された色との変換関係を示す色変換ルックアップテーブルを生成する色変換ルックアップテーブル生成工程と、
を含む色変換ルックアップテーブル生成方法。
【請求項１１】
前記色変換ルックアップテーブル生成工程は、デバイス依存色空間からデバイス非依存色空間への変換に用いられる色変換ルックアップテーブルを生成する請求項１０に記載の色変換ルックアップテーブル生成方法。
【請求項１２】
前記色変換ルックアップテーブル生成工程は、デバイス非依存色空間からデバイス依存色空間への変換に用いられる色変換ルックアップテーブルを生成する請求項１０又は１１に記載の色変換ルックアップテーブル生成方法。
【請求項１３】
複数色に対応する多次元の色空間における仮の色材使用制限値を設定する色材使用制限値設定工程と、
予め定められた色材の組み合わせにおける色材使用値の合計値が、前記設定された使用制限値以下の領域について、前記定められた色材使用値の組み合わせに基づく複数のパッチを含むパッチ群を作成するパッチ群作成工程と、
前記作成されたパッチ群を媒体へ出力するパッチ群出力工程と、
前記パッチ群を測色する測色工程と、
前記測色された各パッチの測色値に基づき、前記色材使用制限値を超える領域の仮想的なパッチの測色値を補外演算により推定する測色値推定工程と、
前記測色工程及び前記測色値推定工程により得られた測色値に基づいて、前記色空間における色材使用値の組み合わせに対する色を補間演算により予測して、前記色空間における色材使用値の組み合わせに対する色の変換関係を求める色予測工程と、
前記求められた変換関係を用いて、入力画像データに対して色変換処理を施す画像処理工程と、
を含む画像処理方法。
【請求項１４】
複数色に対応する多次元の色空間における仮の色材使用制限値を設定する色材使用制限値設定手段と、
予め定められた色材の組み合わせにおける色材使用値の合計値が、前記設定された使用制限値以下の領域について、前記定められた色材使用値の組み合わせに基づく複数のパッチを含むパッチ群を作成するパッチ群作成手段と、
前記作成されたパッチ群を媒体へ出力するパッチ群出力手段と、
前記パッチ群を測色する測色手段と、
前記測色された各パッチの測色値に基づき、前記色材使用制限値を超える領域の仮想的なパッチの測色値を補外演算により推定する測色値推定手段と、
前記測色手段及び前記測色値推定手段により得られた測色値に基づいて、前記色空間における色材使用値の組み合わせに対する色を補間演算により予測して、前記色空間における色材使用値の組み合わせに対する色の変換関係を求める色予測手段と、
前記求められた変換関係を用いて画像処理を施す画像処理手段と、
を含む画像処理装置。
【手続補正２】
【補正対象書類名】明細書
【補正対象項目名】００１１
【補正方法】変更
【補正の内容】
【００１１】
上記目的を達成するために、本発明に係る色予測方法は、複数色に対応する多次元の色空間において、仮の色材使用制限値を設定する色材使用制限値設定工程と、予め定められた色材の組み合わせにおける色材使用値の合計値が、設定された使用制限値以下の領域について、定められた色材使用値の組み合わせに基づく複数のパッチを含むパッチ群を作成するパッチ群作成工程と、作成されたパッチ群を媒体へ出力するパッチ群出力工程と、パッチ群を測色する測色工程と、測色された各パッチの測色値に基づき、色材使用制限値を超える領域の仮想的なパッチの測色値を補外演算により推定する測色値推定工程と、測色工程及び測色値推定工程により得られた測色値に基づいて、色空間における色材使用値の組み合わせに対する色を補間演算により予測する色予測工程と、を含んでいる。
【手続補正３】
【補正対象書類名】明細書
【補正対象項目名】０１８１
【補正方法】変更
【補正の内容】
【０１８１】
（第１態様）：複数色に対応する多次元の色空間において、仮の色材使用制限値を設定する色材使用制限値設定工程と、予め定められた色材の組み合わせにおける色材使用値の合計値が、設定された使用制限値以下の領域について、定められた色材使用値の組み合わせに基づく複数のパッチを含むパッチ群を作成するパッチ群作成工程と、作成されたパッチ群を媒体へ出力するパッチ群出力工程と、パッチ群を測色する測色工程と、測色された各パッチの測色値に基づき、色材使用制限値を超える領域の仮想的なパッチの測色値を補外演算により推定する測色値推定工程と、測色工程及び測色値推定工程により得られた測色値に基づいて、色空間における色材使用値の組み合わせに対する色を補間演算により
予測する色予測工程と、を含む色予測方法。
【手続補正４】
【補正対象書類名】明細書
【補正対象項目名】０１８４
【補正方法】変更
【補正の内容】
【０１８４】
（第２態様）：パッチ群作成工程は、色材使用制限値以下であり、色材使用制限値の測色値又は色材使用制限値の近傍の測色値を有し、測色値推定工程における補外演算に用いられる学習データとして使用される混色の補外演算用パッチ群を作成する補外演算用パッチ群作成工程を含んでいる。
【手続補正５】
【補正対象書類名】明細書
【補正対象項目名】０１８７
【補正方法】変更
【補正の内容】
【０１８７】
（第３態様）：測色値推定工程は、色空間における色材使用制限値を超える領域の基底格子の測色値を、補外演算用パッチ群の測色値を用いて補外演算により予測する基底格子予測工程を含んでいる。
【手続補正６】
【補正対象書類名】明細書
【補正対象項目名】０２０２
【補正方法】変更
【補正の内容】
【０２０２】
（第１０態様）：複数色に対応する多次元の色空間における仮の色材使用制限値を設定する色材使用制限値設定工程と、予め定められた色材の組み合わせにおける色材使用値の合計値が、設定された使用制限値以下の領域について、定められた色材使用値の組み合わせに基づく複数のパッチを含むパッチ群を作成するパッチ群作成工程と、作成されたパッチ群を媒体へ出力するパッチ群出力工程と、パッチ群を測色する測色工程と、測色された各パッチの測色値に基づき、色材使用制限値を超える領域の仮想的なパッチの測色値を補外演算により推定する測色値推定工程と、測色工程及び測色値推定工程により得られた測色値に基づいて、色空間における色材使用値の組み合わせに対する色を補間演算により予測して、色空間における色材使用値の組み合わせに対する色の変換関係を求める色予測工程と、色空間における、定められた複数色の色材使用値の組合せと、予測された色との変換関係を示す色変換ルックアップテーブルを生成する色変換ルックアップテーブル生成工程と、を含む色変換ルックアップテーブル生成方法。
【手続補正７】
【補正対象書類名】明細書
【補正対象項目名】０２０９
【補正方法】変更
【補正の内容】
【０２０９】
（第１３態様）：複数色に対応する多次元の色空間における仮の色材使用制限値を設定する色材使用制限値設定工程と、予め定められた色材の組み合わせにおける色材使用値の合計値が、設定された使用制限値以下の領域について、定められた色材使用値の組み合わせに基づく複数のパッチを含むパッチ群を作成するパッチ群作成工程と、作成されたパッチ群を媒体へ出力するパッチ群出力工程と、パッチ群を測色する測色工程と、測色された各パッチの測色値に基づき、色材使用制限値を超える領域の仮想的なパッチの測色値を補外演算により推定する測色値推定工程と、測色工程及び測色値推定工程により得られた測色値に基づいて、色空間における色材使用値の組み合わせに対する色を補間演算により予測して、色空間における色材使用値の組み合わせに対する色の変換関係を求める色予測工程と、求められた変換関係を用いて、入力画像データに対して色変換処理を施す画像処理工程と、を含む画像処理方法。
【手続補正８】
【補正対象書類名】明細書
【補正対象項目名】０２１１
【補正方法】変更
【補正の内容】
【０２１１】
（第１４態様）：複数色に対応する多次元の色空間における仮の色材使用制限値を設定する色材使用制限値設定手段と、予め定められた色材の組み合わせにおける色材使用値の合計値が、設定された使用制限値以下の領域について、定められた色材使用値の組み合わせに基づく複数のパッチを含むパッチ群を作成するパッチ群作成手段と、作成されたパッチ群を媒体へ出力するパッチ群出力手段と、パッチ群を測色する測色手段と、測色された各パッチの測色値に基づき、色材使用制限値を超える領域の仮想的なパッチの測色値を補外演算により推定する測色値推定手段と、測色工程及び測色値推定工程により得られた測色値に基づいて、色空間における色材使用値の組み合わせに対する色を補間演算により予測して、色空間における色材使用値の組み合わせに対する色の変換関係を求める色予測手段と、求められた変換関係を用いて画像処理を施す画像処理手段と、を含む画像処理装置。
【手続補正９】
【補正対象書類名】明細書
【補正対象項目名】０２１２
【補正方法】変更
【補正の内容】
【０２１２】
また、本明細書は、複数色に対応する多次元の色空間において、仮の色材使用制限値を設定する色材使用制限値設定工程と、予め定められた色材の組み合わせにおける色材使用値の合計値が、設定された使用制限値以下の領域について、定められた色材使用値の組み合わせに基づく複数のパッチを含むパッチ群を作成するパッチ群作成工程と、作成されたパッチ群を媒体へ出力するパッチ群出力工程と、パッチ群を測色する測色工程と、測色された各パッチの測色値に基づき、色材使用制限値を超える領域の仮想的なパッチの測色値を補外演算により推定する測色値推定工程と、測色工程及び測色値推定工程により得られた測色値に基づいて、色空間における色材使用値の組み合わせに対する色を補間演算により予測する色予測工程と、をコンピュータに実行させる色予測プログラム、及び該色予測プログラムを記憶した記憶媒体を開示している。
【手続補正１０】
【補正対象書類名】明細書
【補正対象項目名】０２１４
【補正方法】変更
【補正の内容】
【０２１４】
また、本明細書は、複数色に対応する多次元の色空間における仮の色材使用制限値を設定する色材使用制限値設定工程と、予め定められた色材の組み合わせにおける色材使用値の合計値が、設定された使用制限値以下の領域について、定められた色材使用値の組み合わせに基づく複数のパッチを含むパッチ群を作成するパッチ群作成工程と、作成されたパッチ群を媒体へ出力するパッチ群出力工程と、パッチ群を測色する測色工程と、測色された各パッチの測色値に基づき、色材使用制限値を超える領域の仮想的なパッチの測色値を補外演算により推定する測色値推定工程と、測色工程及び測色値推定工程により得られた測色値に基づいて、色空間における色材使用値の組み合わせに対する色を補間演算により予測して、色空間における色材使用値の組み合わせに対する色の変換関係を求める色予測工程と、色空間における、定められた複数色の色材使用値の組合せと、予測された色との変換関係を示す色変換ルックアップテーブルを生成する色変換ルックアップテーブル生成工程と、をコンピュータに実行させる色変換ルックアップテーブル生成プログラム、及び第１１、１２態様の各工程をコンピュータに実行させる色変換ルックアップテーブル生成プログラム、該色変換ルックアップテーブル生成プログラムを記憶した記憶媒体を開示している。
【手続補正１１】
【補正対象書類名】明細書
【補正対象項目名】０２１５
【補正方法】変更
【補正の内容】
【０２１５】
さらに、本明細書は、複数色に対応する多次元の色空間における仮の色材使用制限値を設定する色材使用制限値設定工程と、予め定められた色材の組み合わせにおける色材使用値の合計値が、設定された使用制限値以下の領域について、定められた色材使用値の組み合わせに基づく複数のパッチを含むパッチ群を作成するパッチ群作成工程と、作成されたパッチ群を媒体へ出力するパッチ群出力工程と、パッチ群を測色する測色工程と、測色された各パッチの測色値に基づき、色材使用制限値を超える領域の仮想的なパッチの測色値を補外演算により推定する測色値推定工程と、測色工程及び測色値推定工程により得られた測色値に基づいて、色空間における色材使用値の組み合わせに対する色を補間演算により予測して、色空間における色材使用値の組み合わせに対する色の変換関係を求める色予測工程と、求められた変換関係を用いて、入力画像データに対して色変換処理を施す画像処理工程と、をコンピュータに実行させる画像処理プログラム、及び該画像処理プログラムを記憶した記憶媒体を開示している。